(57)【要約】【課題】  PCの消費電力を抑制するためには自動的に省電力モードへ移行する機能を使用することが非常に有効であり多く使われている機能である。しかし、自動的にPCが省電力モードに移行した際は、ソフトフォンが使用することができない状態であるため、着信を該当PCで受ける事ができない問題がある。【解決手段】  上記課題を解決するために、ＩＰ電話サーバ上の電話一覧データテーブルに、各ソフトフォン搭載PCの省電力モード状態を記憶する領域を持たせる。さらに、ソフトフォン呼び出し要求があった場合に、ソフトフォン搭載PCの省電力モード状態を確認し、もし省電力モード中であった場合は、IP電話サーバは、省電力復帰メッセージをPCに送出する。さらに、ＰＣが省電力から復帰した後ソフトフォンの呼び出しを行う動作をする。【選択図】  図１
2010050669.tif 000002
【特許請求の範囲】
【請求項１】
通話機能を備え、消費電力を抑制する省電力モードと通常モードの２つの動作モードで動作する端末装置と通信網により接続される音声通信サーバであって、
発信側端末装置から省電力モードで動作中の着信側端末装置に対する発信要求を受信すると、前記着信側端末装置に通常モードへ復帰させるためのメッセージを送信する動作モード管理部と、
前記着信側端末装置から通常モードへ復帰したことを伝えるメッセージを受信すると、前記着信側端末装置に呼び出し通知を送信する通話機能管理部とを有することを特徴とする音声通信サーバ。
【請求項２】
請求項１記載の音声通信サーバであって、
前記通信網上において前記端末装置を特定する通信アドレスと、前記通信アドレスが示す前記端末装置の動作モードを記憶する記憶部を有することを特徴とする音声通信サーバ。
【請求項３】
請求項２記載の音声通信サーバであって、
前記通話機能管理部は、前記発信側端末装置から呼接続要求を受信すると、前記着信側端末を特定する通信アドレスが前記記憶部に登録されているか検索し、
前記着信側端末の通信アドレスが登録されていた場合、前記動作モード管理部により前記記憶部の前記着信側端末の通信アドレスと対応する前記着信側端末装置の動作モードを参照し、前記記憶部の前記端末装置の動作モードが省電力モードの場合、前記着信側端末装置に通常モードへ復帰させるためのメッセージを送信することを特徴とする音声通信サーバ。
【請求項４】
請求項３記載の音声通信サーバであって、
前記動作モード管理部は、前記着信側端末装置から通常モードへ復帰したことを伝えるメッセージを受信すると、前記記憶部の前記端末装置の動作モードを通常モードに変更することを特徴とする音声通信サーバ。
【請求項５】
請求項３記載の音声通信サーバであって、
前記動作モード管理部は、前記端末装置から省電力モードへの移行通知を受信すると、前記記憶部の前記端末装置の動作モードを省電力モードに更新することを特徴とする音声通信サーバ。
【請求項６】
通話機能を備え、消費電力を抑制する省電力モードと通常モードの２つの動作モードで動作する端末装置であって、
一定時間ユーザからの入力がない場合に、省電力モードへ移行するための省電力制御部と、
前記省電力モードへ移行する際に、音声通信サーバに省電力へ移行することを伝える音声通信部とを有することを特徴とする端末装置。
【請求項７】
請求項６記載の端末装置であって、
省電力モードで動作中に着信通知を受ける場合、前記音声通信部により前記音声通信サーバから省電力モードからの復帰を指示するメッセージを受信し、前記音声通信サーバに省電力モードからの復帰を通知するメッセージを送信し、前記着信通知を受けることを特徴とする端末装置。
【請求項８】
請求項７記載の端末装置であって、
前記着信通知には、発信側の前記端末装置の通信アドレスが含まれることを特徴とする端末装置。
【請求項９】
通話機能を備え、消費電力を抑制する省電力モードと通常モードの２つの動作モードで動作する端末装置を、
一定時間ユーザからの入力がない場合に、省電力モードへ移行するための手段と、
前記省電力モードへ移行する際に、音声通信サーバに省電力へ移行することを伝える手段として機能させるためのプログラム。
【請求項１０】
請求項９記載のプログラムであって、
省電力モードで動作中に着信通知を受ける場合、前記音声通信部により前記音声通信サーバから省電力モードからの復帰を指示するメッセージを受信する手段と、
前記音声通信サーバに省電力モードからの復帰を通知するメッセージを送信する手段と、
前記着信通知を受ける手段として機能させることを特徴とするプログラム。
【請求項１１】
請求項１０記載のプログラムであって、
前記着信通知には、発信側の前記端末装置の通信アドレスが含まれることを特徴とするプログラム。
【請求項１２】
音声通信システムであって、
通話機能を備え、消費電力を抑制する省電力モードと通常モードの２つの動作モードで動作し、一定時間ユーザからの入力がない場合に、省電力モードへ移行するための省電力制御部と、前記省電力モードへ移行する際に、音声通信サーバに省電力へ移行することを伝える音声通信部とを有する端末装置と、
発信側端末装置から省電力モードで動作中の着信側端末装置に対する呼接続要求を受信すると、着信側端末装置が省電力モードである場合、前記着信側端末装置に通常モードへ復帰させるためのメッセージを送信する動作モード管理部と、前記着信側端末装置から通常モードへ復帰したことを伝えるメッセージを受信すると、前記着信側端末装置に呼び出し通知を送信する通話機能管理部とを有することを特徴とする音声通信サーバとを有することを特徴とする音声通信システム。
【請求項１３】
請求項１２記載の音声通信システムであって、
前記音声通信サーバは、前記通信網上において前記端末装置を特定する通信アドレスと、前記通信アドレスが示す前記端末装置の動作モードを記憶する記憶部を有することを特徴とする音声通信システム。
【請求項１４】
請求項１３記載の音声通信システムであって、
前記音声通信サーバは、前記通話機能管理部により前記発信側端末装置から呼接続要求を受信すると、前記着信側端末を特定する通信アドレスが前記記憶部に登録されているか検索し、
前記着信側端末の通信アドレスが登録されていた場合、前記動作モード管理部により前記記憶部の前記着信側端末の通信アドレスと対応する前記着信側端末装置の動作モードを参照し、当該端末装置の動作モードが省電力モードの場合、前記着信側端末装置に通常モードへ復帰させるためのメッセージを送信することを特徴とする音声通信システム。
【請求項１５】
請求項１４記載の音声通信システムであって、
前記音声通信サーバは、前記動作モード管理部により、前記着信側端末装置から通常モードへ復帰したことを伝えるメッセージを受信すると、前記記憶部の前記端末装置の動作モードを通常モードに変更することを特徴とする音声通信システム。
【請求項１６】
請求項１３記載の音声通信システムであって、
前記音声通信サーバは、前記動作モード管理部により、前記端末装置から省電力モードへの移行通知を受信すると、前記記憶部の前記端末装置の動作モードを省電力モードに更新することを特徴とする音声通信システム。
【請求項１７】
請求項１２記載の音声通信システムであって、
前記端末装置は、省電力モードで動作中に着信通知を受ける場合、前記音声通信部により前記音声通信サーバから省電力モードからの復帰を指示するメッセージを受信し、前記音声通信サーバに省電力モードからの復帰を通知するメッセージを送信し、前記着信通知を受けることを特徴とする音声通信システム。
【請求項１８】
請求項１７記載の音声通信システムであって、
前記着信通知には、発信側の前記端末装置の通信アドレスが含まれることを特徴とする音声通信システム。
【発明の詳細な説明】
【技術分野】
【０００１】
本発明は、ＩＰ電話システムにおける省電力状態のPC上のＩＰ電話を呼び出すシステム、装置、及び、プログラムに関する。
【背景技術】
【０００２】
ＩＰ電話システムにて、ソフトフォンと呼ばれるIP電話ソフトウェアを使用する場合、ソフトフォンをPCにインストールして使用する。また、PCは消費電力を抑制するための省電力モードを備えており、長時間PCを操作しない場合、自動的に省電力モードに移行する機能を備える。省電力モードとは、ＰＣが一定時間操作の入力を受けない場合に自動的に省電力状態へ移行する機能であり、消費電力を抑制するのに非常に有効であり、多く使われている機能である。
【０００３】
省電力モードの例として、ハードディスクや、その他のデバイスの電源をオフにすることで、消費電力を抑える方法がある。ただし、メモリには電力が供給され、実行中のデータがそのまま保持されるため、電源を完全に切った場合と異なり作業を中断した状態からの作業復帰が可能である。その他、ハードディスク上にメモリの内容を退避してから、メモリを含む各デバイスの電源をオフにする方法がある。
【０００４】
特許文献１には、コンピュータネットワーク上のＰＣに内線番号を割り当て、内線電話機として利用する際に、低消費電力のスタンバイ状態にある際に、パケットを受信すると、通常の電源状態に回復する手法が開示されている。
【０００５】
【特許文献１】特開平１１−１１００８９号公報
【発明の開示】
【発明が解決しようとする課題】
【０００６】
従来技術では、スタンバイ状態のＰＣの電源を回復させることは可能であるが、ネットワークインタフェースに特殊な機能が必要となり、既存のＰＣを利用することができず、製造コストや調達コストが増大する問題がある。
【０００７】
または、特殊なネットワークインタフェースを用いずに、既存のネットワークインタフェースに搭載されているWAKE ON LAN(R)機能を利用したとしても、発信側端末は、着信側端末がスタンバイ状態であることを知らないため、WAKE ON LAN(R)機能を用いて着信側端末を起動させることなく、通常どおり呼接続要求を送信する。呼接続サーバも、着信側端末がスタンバイ状態であることを知らないため、WAKE ON LAN(R)機能を用いて着信側端末を起動させることなく、通常通り呼接続要求を転送してしまうため、正常に呼接続ができない。
【課題を解決するための手段】
【０００８】
上記課題を解決するために、ＩＰ電話サーバ上の電話一覧データテーブルに、各ソフトフォンを搭載するPCの省電力モード状態を記憶する領域を持たせ、自動的に省電力から復帰した後にソフトフォンの呼び出しを行うシステム、装置、又は、プログラムを実現する。
【発明の効果】
【０００９】
本発明によれば、省電力モードへの自動移行機能を利用しながら、ソフトフォンを利用した場合に、PCが省電力モードに移行した場合においても電話を受ける事ができる。
【発明を実施するための最良の形態】
【００１０】
以下、本発明の実施の形態について、図面により詳細に説明する。
【実施例１】
【００１１】
図１は本実施例を適用したシステムの概要を示したものである。本システムは、ソフトフォンの管理とソフトフォンをインストールしたＰＣの状態情報を管理するＩＰ電話サーバ１００と、ソフトフォンＡ１０５をインストールしたＰＣ１０３と、ソフトフォンＢ１０８をインストールしたＰＣ１０６と、ソフトフォンＣ１１１をインストールしたＰＣ１０９と、ＩＰ電話サーバ１００と各ＰＣを接続するＩＰネットワーク１０２から構成される。
【００１２】
ＩＰ電話サーバ１００は、ソフトフォンを管理し、ＩＰ電話サーバとして呼制御等の制御を行うソフトフォン管理部１２３と、各ソフトフォンをインストールしたＰＣが省電力モードであるか否かを管理し、各ＰＣと制御信号のやりとりを行う省電力管理部１２４を有する。また、各ソフトフォンの電話番号とＩＰアドレスの対応と各ソフトフォンがインストールされたＰＣが省電力状態か否かを管理する電話一覧データテーブル１０１を有する。
【００１３】
ＰＣ１０３は、ソフトフォンＡ１０５の他に、ＰＣの省電力モードへの移行と省電力モードからの復帰を行う省電力制御部１０４を有する。ＰＣ１０６、ＰＣ１０９も同様にそれぞれ、省電力制御部１０７、省電力制御部１１０を有する。また、ソフトフォンＡ１０５は、ＰＣ１０３が省電力モードから回復したことを検知する状態検知部１１２と、ＩＰ電話サーバ１００に状態情報の通知などをする状態通知部１１３と、電話としての呼接続要求や着信応答、通話機能などの電話として動作するための機能を備えた電話機能部１１４を有する。ソフトフォンＢ１０８、ソフトフォンＣ１１１も同様の構成である。
【００１４】
本実施例では、ソフトフォンＡ１０５には電話番号「１１１１」が付与され、ソフトフォンＡ１０５をインストールしたＰＣ１０３にはＩＰアドレス「ａ．ａ．ａ．ａ」が割り当てられているものとする。同様に、ソフトフォンＢ１０８には電話番号「２２２２」が付与され、ソフトフォンＢ１０８をインストールしたＰＣ１０６にはＩＰアドレス「ｂ．ｂ．ｂ．ｂ」が割り当てられているものとする。ソフトフォンＣ１１１には電話番号「３３３３」が付与され、ソフトフォンＣ１１１をインストールしたＰＣ１０９にはＩＰアドレス「ｃ．ｃ．ｃ．ｃ」が割り当てられているものとする。本実施例中のＰＣには、ＩＰアドレスは一つだけ割り当てられるものとし、割り当てられたＩＰアドレスはそのままソフトフォンの電話番号に対応するソフトフォンのＩＰアドレスとなるものとする。
【００１５】
図２はＩＰ電話サーバ１００にて管理する電話一覧データテーブル１０１の構成である。各ソフトフォンの電話番号２００と、電話番号２００と対応する各ソフトフォンＩＰアドレス２０１と、電話番号２００のソフトフォンをインストールしたＰＣが省電力状態か否かを表す省電力状態２０２を有する。省電力状態２０２にはＰＣが省電力状態であることを示す「省電力モード」か、ＰＣが省電力状態でなく通常稼動していることを示す「通常モード」のどちらかの情報が格納される。本実施例において、電話一覧データテーブル１０１には、ソフトフォンＡ１０５、ソフトフォンＢ１０８、ソフトフォンＣ１１１の電話番号２００と、各ソフトフォンの電話番号２００に対応するソフトフォンＩＰアドレス２０１が格納されている。各ソフトフォンがＩＰ電話サーバ１００にＩＰ電話としての登録処理を行う際に、電話番号２００とソフトフォンＩＰアドレス２０１が電話一覧データテーブル１０１に書き込まれる。初期状態では、省電力状態２０２は全て、ＰＣが通常どおり稼動していることを表す「通常モード」が書き込まれる。尚、電話一覧データテーブル１０１は、既存のＳＩＰサーバの電話とＩＰアドレスの対応を記憶するテーブルなどに管理下の電話端末の状態を記憶する属性を付け加えてもよいし、新たなテーブルとして作成してもよい。
【００１６】
次に、ＰＣ１０６に対し一定時間処理の入力がないか、又は、ユーザが意図的にＰＣ１０６を省電力モードに移行させる操作を行い、ＰＣ１０６が省電力モードに移行した際に、ＰＣ１０３にインストールされたソフトフォンＡ１０５からＰＣ１０６にインストールされたソフトフォンＢ１０８に対し電話をかける場合の動作を説明する。
【００１７】
まず、図３は、ソフトフォンＢ１０８がインストールされたＰＣ１０６が省電力モードに移行する際の動作を示したものである。ＰＣ１０６が省電力モードに移行する場合、ＰＣ１０６の省電力制御部１０７は、ＰＣ１０６上で動作するアプリケーションであるソフトフォンＢ１０８に対し、省電力モード移行確認を送信する（３０２）。省電力モード移行確認を状態通知部１１３を介して受信したソフトフォンＢ１０８は、状態通知部１１３を介して、ＩＰ電話サーバ１００内の省電力管理部１２４に省電力モード移行通知を送信する（３０３）。省電力モード移行通知を受信した省電力管理部１２４は電話一覧データテーブル１０１のソフトフォンＢ１０８に対応するレコードの省電力状態２０２を「通常モード」から「省電力モード」に書き換える。その後、省電力管理部１２４は省電力モード移行了解を送信する（３０５）。省電力モード移行了解を状態通知部１１３を介して受信したソフトフォンＢ１０８は、状態通知部１１３を介して、省電力制御部１０７に省電力モード移行許可を送信する（３０６）。省電力モード移行許可を受信した省電力制御部１０７はこの時点でＰＣ１０６を省電力モードへと移行する（３０７）。
【００１８】
従来は、ＰＣが省電力モードに移行する際には、省電力制御部１０７に相当する装置もしくはソフトウェアが、起動中のアプリケーションに対し、省電力モードに移行することを通知する。ＰＣはアプリケーションから省電力モード移行に対する返答を受信した時点で省電力モードに移行する。これに対し、本実施例では、ソフトフォンが省電力モード移行確認の通知を受信すると、これからＰＣが省電力モードに移行することをＩＰ電話サーバ１００に通知してから、省電力制御部１１３に対し、省電力モード移行許可を出す。これにより、ＩＰ電話サーバ１００は常に管理下のソフトフォンのインストールされたＰＣが省電力状態か否かを管理することができる。
【００１９】
図４は、ソフトフォンＡ１０５から省電力モードのＰＣ１０６上のソフトフォンＢ１０８に対して呼接続を行う際の動作を示したものである。各ソフトフォンやＩＰ電話サーバ１００の詳細な処理は後で説明する。ソフトフォンＡ１０５は電話機能部１１４を介し、ＩＰ電話サーバ１００に通話相手であるソフトフォンＢ１０８の電話番号「２２２２」への発信要求を送信する（４０１）。ＩＰ電話サーバ１００はソフトフォンＢ１０８への発信要求受付を完了すると（４０２）、ソフトフォンＡ１０５に対し、ソフトフォンＢ１０８を呼び出し中状態であることを通知する（４０３）。ステップ（４０３）のメッセージを電話機能部１１４を介して受信したソフトフォンＡ１０５は呼び出し音を受信機から鳴らす（４０４）。
【００２０】
次に、ＩＰ電話サーバ１００は、発信先のＰＣ１０６の省電力状態を判定する（４０５）。図２より、ソフトフォンＢ１０８は「省電力モード」のため、ＩＰ電話サーバ１００は、ソフトフォンＢ１０８のインストールされたＰＣ１０６に対し、省電力モード復帰要求を送信する（４０６）。この復帰要求は例えば、WAKE ON LAN(R)機能を用いても良い。ステップ（４０６）のメッセージを状態通知部１１３を介して受信したＰＣ１０６は、省電力制御部１０７により、省電力モードからの復帰処理を行い、通常モードに移行する（４０７）。
【００２１】
ＰＣ１０６が省電力モードから回復し、通常モードに移行すると、ソフトフォンＢ１０８は、状態検知部１１８により省電力モードからの復帰を検知する（４０８）。次に、ソフトフォンＢ１０８は、状態通知部１１９を介してＩＰ電話サーバ１００に省電力モード復帰通知を送信する（４０９）。省電力モード復帰通知を受信したＩＰ電話サーバ１００は、電話一覧データテーブル１０１のソフトフォンＢ１０８に対応するレコードの、省電力状態２０２を「省電力モード」から「通常モード」に書き換える（４１０）。次にＩＰ電話サーバ１００は、ソフトフォンＢ１０８に対し、ステップ（４０１）の発信要求に対する呼び出し通知を送信する（４１１）。ステップ（４１１）の呼び出し通知には発信元ＩＰアドレス「ａ．ａ．ａ．ａ」が含まれている。ソフトフォンＢ１０８は、電話機能部１２０により呼び出し通知を受信すると、着信音を鳴らしてユーザに通話要求があったことを知らせる（４１２）。
【００２２】
次に、ユーザが受話器を取る等の通話に応じるアクションをした場合、ソフトフォンＢ１０８から電話機能部１２０を介して応答通知がＩＰ電話サーバ１００に送信される（４１３）。応答通知を受信したＩＰ電話サーバ１００は応答通知を発信元であるソフトフォンＡ１０５に送信する（４１４）。ステップ（４１４）の応答通知には発信先ＩＰアドレス「ｂ．ｂ．ｂ．ｂ」が含まれている。応答通知を受信したソフトフォンＡ１０５はソフトフォンＢ１０８と通話を開始する。
【００２３】
尚、着信側端末であるソフトフォンＢ１０８が、着信する前に、ユーザの操作等により省電力モードから復帰した場合にも、ステップ（４０９）と同様に状態通知部１１９を介してＩＰ電話サーバ１００に省電力モード復帰通知を送信する。
【００２４】
IP電話サーバ１００が、図４で説明した省電力モード中のＰＣ１０６にインストールされたソフトフォンＢ１０８へ対する呼び出し要求を受信した場合のフローチャートを図５に示す。ＩＰ電話サーバ１００のソフトフォン管理部１２３は、ソフトフォンＡ１０５からソフトフォンＢ１０８の電話番号「２２２２」への発信要求を受信する（５０１）。発信要求を受信したソフトフォン管理部１２３は、電話一覧データテーブル１０１にて発信先電話番号「２２２２」が登録されているかを確認する（５０２）。仮に電話番号「２２２２」が電話一覧データテーブル１０１に登録されていない場合は、ソフトフォン管理部１２３は発信元であるソフトフォンＡ１０５に接続不可を通知する（５０３）。
【００２５】
本実施例では、電話一覧データテーブル１０１にて電話番号「２２２２」は登録されており、発信元ソフトフォンＡ１０５に対し、発信先ソフトフォンＢ１０８を呼び出し中であることを通知する（５０４）。次に、省電力管理部１２４が、電話一覧データテーブル１０１にて、発信先ソフトフォンＢ１０８の状態が省電力状態であるかを確認する（５０５）。発信先ソフトフォンＢ１０８の状態が「通常モード」である場合、ソフトフォン管理部１２３が電話一覧データテーブル１０１にて発信先ソフトフォンＢ１０８の電話番号「２２２２」に対応するＩＰアドレス「ｂ．ｂ．ｂ．ｂ」を参照し（５０６）、ソフトフォンＢ１０８に対して呼び出し通知を送信する（５０７）。
【００２６】
発信先ソフトフォンＢ１０８の状態が「省電力モード」である場合、省電力管理部１２４が、電話一覧データテーブル１０１にて、発信先ソフトフォンＢ１０８の電話番号「２２２２」に対応するＩＰアドレス「ｂ．ｂ．ｂ．ｂ」を参照し（５０８）、発信先ＩＰアドレス「ｂ．ｂ．ｂ．ｂ」宛に省電力復帰要求を送信する（５０９）。ステップ（５０９）後、一定時間、省電力管理部１２４は発信先ソフトフォンＢ１０８からの省電力モード復帰通知の受信を受け付ける（５１０）。省電力管理部１２４が省電力モード復帰通知を受信しなかった場合、ソフトフォン管理部１２３は発信元であるソフトフォンＡ１０５に接続不可を通知する（５０３）。省電力管理部１２４は、省電力モード復帰通知を受信した場合、電話一覧データテーブル１０１のＩＰアドレス「ｂ．ｂ．ｂ．ｂ」に対応するレコードの省電力状態２０２を「通常モード」に更新する（５１１）。ステップ（５１１）の処理が行われるまで、ソフトフォンＢ１０８の電話番号「２２２２」への発信要求は、ＩＰ電話サーバ１００により保持され、ソフトフォンＢ１０８に転送されない。
【００２７】
ステップ（５１１）において発信先ソフトフォンＢ１０８の状態が「通常モード」に更新された後、ソフトフォン管理部１２３が電話一覧データテーブル１０１にて発信先ソフトフォンＢ１０８の電話番号「２２２２」に対応するＩＰアドレス「ｂ．ｂ．ｂ．ｂ」を参照し（５０６）、ソフトフォンＢ１０８に対して呼び出し通知を送信する（５０７）。
【実施例２】
【００２８】
図８は本実施例を適用したシステムにおける第2の概要を示したものである。本システムは、図１との相違点としてＰＣ１０３，１０６，１０９はそれぞれ無線ＬＡＮアクセスポイント１２１，１２２を介してＩＰ電話サーバ１００と接続されている。本実施例では、図８のような無線ＬＡＮ環境での利用について説明する。ＰＣ１０３，１０６，１０９はノートＰＣやＰＤＡ端末などのモバイル端末であることを想定している。
【００２９】
ＰＣ１０３が無線ＬＡＮアクセスポイント１２１の通信エリア内に進入した場合、ソフトフォンＡ１０５の電話機能部１１４は、無線ＬＡＮアクセスポイント１２１を介して、ＩＰ電話サーバ１００内のソフトフォン管理部１２３に対し、ＳＩＰプロトコルによる登録処理を行う。この時点で、電話一覧データテーブル１０１には、ソフトフォンＡ１０５のレコードが生成される。次に、ＰＣ１０３が一定時間操作入力を一切受けずに、省電力モードに移行する際、実施例１と同様の手順にてＩＰ電話サーバ１００にソフトフォンＡ１０５が省電力モードへ移行したことが通知される。次に無線ＬＡＮアクセスポイント１２２の通信エリア内に存在するＰＣ１０６のソフトフォンＢ１０８からソフトフォンＡ１０５に対して発信要求があった場合、ＩＰ電話サーバ１００は図４で示した手順にてＰＣ１０３を省電力モードから回復させ、ソフトフォンＡ１０５に対し、呼び出し通知を行う。呼び出し通知を受信したソフトフォンＡ１０５は、ＩＰ電話サーバ１００を介してソフトフォンＢ１０８に応答通知を送信し、以後通話可能となる。
【００３０】
ＰＣ１０３が無線ＬＡＮアクセスポイント１２１の通信エリアから出て、無線ＬＡＮアクセスポイント１２２の通信エリアの通信エリアに入った場合、ソフトフォンＡ１０５の電話機能部１１４は、無線ＬＡＮアクセスポイント１２２を介して、ＩＰ電話サーバ１００内のソフトフォン管理部１２３に対し、ＳＩＰプロトコルによる登録処理を行う。登録処理として例えば、電話一覧データテーブル１０１のソフトフォンＡ１０５のレコードを書き換えるか、又は、電話一覧データテーブル１０１にソフトフォンＡ１０５のレコードを新たに再生成し、古いソフトフォンＡ１０５のレコードが削除する等が考えられる。
【００３１】
次に、ＰＣ１０３が一定時間操作入力を一切受けずに、省電力モードに移行する際、実施例１と同様の手順にてＩＰ電話サーバ１００にソフトフォンＡ１０５が省電力モードへ移行したことが通知される。次に無線ＬＡＮアクセスポイント１２２の通信エリア内に存在するＰＣ１０６のソフトフォンＢ１０８からソフトフォンＡ１０５に対して発信要求があった場合、ＩＰ電話サーバ１００は図４で示した手順にてＰＣ１０３を省電力モードから回復させ、ソフトフォンＡ１０５に対し、呼び出し通知を行う。呼び出し通知を受信したソフトフォンＡ１０５は、ＩＰ電話サーバ１００を介してソフトフォンＢ１０８に応答通知を送信し、以後通話可能となる。
【００３２】
このように、無線ＬＡＮ環境においても、移動先ごとに電話の登録処理と状態通知を行うことにより、省電力状態での着信が可能となる。本実施例のシステムは、フリーアドレスオフィスのみならず、公衆無線ＬＡＮ環境への適応も可能である。
【００３３】
実施例１，２では、図４のステップ（４０５，４０６）において、ＩＰ電話サーバは、着信側のソフトフォンが省電力モードであることを確認し、省電力モードであることを確認すると省電力モード復帰要求を送信している。別の方法として、ステップ（４０１）の発信要求がきた場合、着信側ソフトフォンの省電力状態の判定を行わず、常に、省電力モード復帰要求を送信してから、呼び出し通知を送信してもよい。
【００３４】
次に、図６に実施例１，２で説明したＩＰ電話サーバ１００のハードウェア構成を示す。ＩＰ電話サーバは、ＣＰＵ６０１，メモリ６０２、I/Oインタフェース６０３、ネットワークインタフェース６０４から構成される。図１のソフトフォン管理部１２３と、省電力管理部１２４と、電話一覧データテーブル１０１はメモリ６０２に格納される。ＣＰＵ６０１はメモリ６０２に格納されたソフトフォン管理部１２３と、省電力管理部１２４と、電話一覧データテーブル１０１を参照し、本実施例で説明した処理を行う。また、ＩＰ電話サーバ１００がＰＣ１０３、ＰＣ１０６、ＰＣ１０９と通信する際はネットワークインタフェース６０４を用いる。I/Oインタフェース６０３はキーボードやディスプレイなどを用いた入出力のために用いる。
【００３５】
次に、図７にソフトフォンがインストールされたＰＣ１０３のハードウェア構成を示す。ＰＣ１０６、１０９についても同じ構成となっている。ＰＣ１０３は、ＣＰＵ７０１，メモリ７０２、I/Oインタフェース７０３、マイク７０４、スピーカー７０５、ネットワークインタフェース７０６から構成される。省電力制御部１０４と、ソフトフォンＡ１０５はソフトウェアとして実装され、メモリ７０２に格納される。ＣＰＵ７０１はメモリ７０２に格納された省電力制御部１０４と、ソフトフォンＡ１０５のソフトウェアを実行し、実施例１，２で説明した処理を行う。また、電話として、ユーザからの音声入力を受け付けるときはマイク７０４を利用する。ユーザへ音声出力する場合はスピーカー７０５を用いる。マイク７０４、スピーカー７０５は内蔵でも外付けでもよい。ＰＣ１０３がＩＰ電話サーバ１００と通信する際はネットワークインタフェース７０６を用いる。I/Oインタフェース７０３はキーボードやディスプレイなどを用いた入出力のために用いる。
【００３６】
以上の実施例１，２の形態によると、ＰＣが省電力モードに移行する際に、ソフトフォンが省電力モードに移行することをＩＰ電話サーバに伝えておくことにより、ＩＰ電話サーバはソフトフォンがインストールされたＰＣの状態を常に把握することが可能となる。これにより、ＩＰ電話サーバは呼接続の際に、発信側端末装置の呼接続要求を転送する前に、着信側端末装置のソフトフォンをインストールしたＰＣを通常モードに復帰させ、呼接続要求を受信できることを確認してから、発信先ソフトフォンがインストールされたＰＣを省電力モードから復帰させて通話可能にすることができる。上記の処理は、電話サーバに呼接続要求を行い、他の端末装置と通話できる電話機能を備えた端末装置全般に適用可能である。
【００３７】
尚、実施例１，２で説明したＩＰ電話サーバは、ソフトフォンの呼接続処理を行う機能を有しており、音声通信サーバ、通信サーバと表現することもできる。また、省電力管理部は、ＰＣの動作モードを管理しており、動作モード管理部と表現することもできる。また、ソフトフォン管理部は、ソフトフォンのみならず、ＩＰネットワークに接続される電話端末の呼接続処理を行うことができ、通話機能管理部、又は、呼接続管理部と表現することもできる。また、電話一覧データテーブルは、必ずしもテーブルである必要はなく、ソフトフォンの電話番号と、ソフトフォンＩＰアドレスと、省電力状態の対応を記憶する記憶部であればよい。
【図面の簡単な説明】
【００３８】
【図１】システム概要の一例
【図２】電話一覧データテーブルの一例
【図３】ＰＣ省電力モード移行時のデータシーケンスの一例
【図４】省電力モード中ＰＣのソフトフォン呼び出し時のデータシーケンスの一例
【図５】ソフトフォン呼び出し時のＩＰ電話サーバ１００の動作フローチャートの一例
【図６】ＩＰ電話サーバのハードウェア構成の一例
【図７】電話機能を有する端末装置のハードウェア構成の一例
【図８】無線を用いたシステム概要の一例
【符号の説明】
【００３９】
１００  ＩＰ電話サーバ
１０１  電話一覧データテーブル
１０２  ＩＰネットワーク
１０３、１０６、１０９  ＰＣ
１０４、１０７、１１０  省電力制御部
１０５、１０８、１１１  ソフトフォン
１１２、１１５，１１８  状態検知部
１１３，１１６，１１９  状態通知部
１１４，１１７，１２０  電話機能部
１２１、１２２  無線ＬＡＮアクセスポイント
１２３  ソフトフォン管理部
１２４  省電力管理部
６０１  ＣＰＵ
６０２  メモリ
６０３  I/Oインタフェース
６０４  ネットワークインタフェース
７０１  ＣＰＵ
７０２  メモリ
７０３  I/Oインタフェース
７０４  マイク
７０５  スピーカー
【図１】
2010050669.tif 000003
【図２】
2010050669.tif 000004
【図３】
2010050669.tif 000005
【図４】
2010050669.tif 000006
【図５】
2010050669.tif 000007
【図６】
2010050669.tif 000008
【図７】
2010050669.tif 000009
【図８】
2010050669.tif 000010